(57)【要約】【課題】浴槽本体側および浴槽前床側を暖気することができ、利便性の良い浴室ユニットを提供する。【解決手段】浴室ユニット１００は、湯を溜める浴槽本体１１と、浴槽前床５０とを備える。浴室ユニット１００は、浴槽本体１１側の空間と浴槽前床５０側の空間とが仕切られている。浴室ユニット１００は、浴槽前床５０側に暖房機７１が設けられており、暖房機７１によって空気を暖める。【選択図】図１
2017218876.tif 000002
【特許請求の範囲】
【請求項１】
湯を溜める浴槽本体と、浴槽前床とを備え、前記浴槽本体側の空間と前記浴槽前床側の空間とが仕切られている浴室ユニットであって、
前記浴槽前床側に空気を暖める第１暖房機を設けたことを特徴とする浴室ユニット。
【請求項２】
前記第１暖房機は、前記浴槽前床側の天井部分に設けられていることを特徴とする請求項１に記載の浴室ユニット。
【請求項３】
前記第１暖房機は、暖めた空気を前記浴槽前床側の空間に送風し、前記浴槽前床側の空間から空気を吸い出して換気することを特徴とする請求項１または２に記載の浴室ユニット。
【請求項４】
前記浴槽本体側に換気扇を設けたことを特徴とする請求項１から３のいずれか１項に記載の浴室ユニット。
【請求項５】
前記換気扇は、前記浴槽本体側の天井部分に設けられていることを特徴とする請求項４に記載の浴室ユニット。
【請求項６】
前記浴槽本体側に空気を暖める第２暖房機が設けられており、
前記第２暖房機は、暖めた空気を前記浴槽本体側の空間に送風し、前記浴槽本体側の空間から空気を吸い出して換気することを特徴とする請求項１から３のいずれか１項に記載の浴室ユニット。
【請求項７】
前記第２暖房機は、前記浴槽本体側の天井部分に設けられていることを特徴とする請求項６に記載の浴室ユニット。
【請求項８】
前記浴槽本体側に換気口が設けられており、
前記換気口は、ダクトによって前記第１暖房機に接続されており、
前記第１暖房機は、前記ダクトを通して前記浴槽本体側の空間から空気を吸い出して換気することを特徴とする請求項３に記載の浴室ユニット。
【請求項９】
前記第１暖房機は、暖めた空気を前記ダクトを通して前記浴槽本体側の空間に送風することを特徴とする請求項８に記載の浴室ユニット。
【発明の詳細な説明】
【技術分野】
【０００１】
本発明は、浴室ユニットに関する。
【背景技術】
【０００２】
浴室ユニットは、湯を溜める浴槽本体と、浴槽本体の手前側に設けた浴槽前床を有する。浴室ユニットは、周囲を壁パネル、上方を天井パネルで覆われている。浴室ユニット内の空間には、浴槽本体のほか、洗面台やトイレが設けられることもあり、ユーザがより快適に浴室ユニットを利用するための工夫がなされている。
【０００３】
例えば、特許文献１には、浴槽本体と浴槽前床とを隔てる間仕切りを設けた浴室ユニットが開示されている。この浴室ユニットは、該間仕切りによって浴槽本体側から浴槽前床側への飛沫を防止している。また、特許文献２には、間仕切りの上方に換気扇を設けた浴室ユニットが開示されている。この浴室ユニットは、浴槽本体側と浴槽前床側との間における湿気および臭気の移動を抑制する。また、特許文献３には、間仕切りによって仕切られた浴槽本体側の上部に暖房機を配置した浴室ユニットが開示されている。この浴室ユニットは、浴槽本体側の空間を乾燥させている。
【先行技術文献】
【特許文献】
【０００４】
【特許文献１】特開２００２−０８９０６４号公報
【特許文献２】特開平０４−２５０２７０号公報
【特許文献３】実公平０７−０２７３１７号公報
【発明の概要】
【発明が解決しようとする課題】
【０００５】
特許文献１に記載の浴室ユニットは、間仕切りによって飛沫を防止するのみであり、浴槽本体側および浴槽前床側を暖めることについては検討されていない。また、特許文献２に記載の浴室ユニットも、浴槽本体側と浴槽前床側とを換気するのみであり浴室ユニット内の暖房については検討されていない。
【０００６】
特許文献３に記載の浴室ユニットは、浴槽本体側に暖房機を設置し、浴槽本体側を乾燥させるものであり、浴槽本体側を暖めることが考慮されているものではない。これらの浴室ユニットでは、ユーザが利用する際に、浴槽本体側および浴槽前床側の温度によって寒さを感じることがあり、利便性に欠けるという問題点があった。
【０００７】
本発明は、斯かる事情に鑑みてなされたものであり、その目的とするところは、浴槽本体側および浴槽前床側を暖気することができ、利便性の良い浴室ユニットを提供することにある。
【課題を解決するための手段】
【０００８】
本発明に係る浴室ユニットは、湯を溜める浴槽本体と、浴槽前床とを備え、前記浴槽本体側の空間と前記浴槽前床側の空間とが仕切られている浴室ユニットであって、前記浴槽前床側に空気を暖める第１暖房機を設けたことを特徴とする。
【０００９】
本発明にあっては、浴室ユニットは、湯を溜める浴槽本体と、浴槽前床とを備え、前記浴槽本体側の空間と前記浴槽前床側の空間とが仕切られている。浴室ユニットは、浴槽前床側に設けた第１暖房機によって空気を暖める。これにより、浴槽前床側の空間が暖められ、浴槽本体側の空間に熱が伝わって浴槽本体側の空間も暖められるので、浴室ユニットの利便性が良くなる。
【発明の効果】
【００１０】
本発明によれば、浴室ユニットは、湯を溜める浴槽本体と、浴槽前床とを備え、前記浴槽本体側の空間と前記浴槽前床側の空間とが仕切られている。浴室ユニットは、浴槽前床側に設けた第１暖房機によって空気を暖めるので、浴槽前床側の空間が暖められ、浴槽本体側の空間に熱が伝わって浴槽本体側の空間も暖められ、浴室ユニットの利便性が良くなる。
【図面の簡単な説明】
【００１１】
【図１】本発明の実施形態１に係る浴室ユニットの外観を示す斜視図である。
【図２】本発明の実施形態１に係る浴室ユニットの縦断面図である。
【図３】図２のＡ−Ａ線による断面図である。
【図４】図２のＢ−Ｂ線による断面図である。
【図５】浴室ユニットの内部を臨む模式図である。
【図６】換気扇および暖房機の動作状態を説明するための模式図である。
【図７】本発明の実施形態２に係る浴室ユニットの構成および動作状態を説明するための模式図である。
【図８】本発明の実施形態３に係る浴室ユニットの構成および動作状態を説明するための模式図である。
【図９】本発明の実施形態４に係る浴室ユニットの構成および動作状態を説明するための模式図である。
【発明を実施するための形態】
【００１２】
以下、本発明を好適な実施の形態をもとに図１から図９を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
図１は本発明の実施形態１に係る浴室ユニット１００の外観を示す斜視図、図２は本発明の実施形態１に係る浴室ユニット１００の縦断面図、図３は図２のＡ−Ａ線による断面図である。図４は図２のＢ−Ｂ線による断面図である。尚、図１においては浴室ユニット１００の手前側の壁パネルを省略した。浴室ユニット１００は、浴槽装置１、引き戸４０、浴槽前床５０、換気扇７０、暖房機７１および壁パネル６０等を有する。浴槽装置１は、湯を溜めることができる浴槽本体１１および吐水装置３を有する。浴槽本体１１と浴槽前床５０とは、間仕切りである引き戸４０によって仕切られており、周囲が壁パネル６０によって覆われ、上方を天井パネル６１ａおよび６１ｂによって覆われている。また、浴室ユニット１００への入り口６２には、引き戸６３が設けられ、入り口６２を開閉することができる。
【００１４】
ユーザは、浴槽装置１において、水を用いて、身体を洗い、シャワーを浴び、浴槽本体１１に湯を溜めて入浴する。これに対し、浴槽前床５０は、ユーザが脱衣や着衣等を行ったり、衣類を乾かしたりするための空間を提供する。浴槽前床５０には洗面台などを配置しても良いが、浴槽前床５０を水の受け皿として機能させるものではない。浴槽前床５０の部分における壁パネル６０ｂには、収納棚６４などを配置し、衣類やタオルなどを収納する。尚、浴槽前床５０は、水の受け皿となるものではないため、排水口を設ける必要はないが、床面の洗い流しのために排水口を設けてもよい。
【００１５】
浴槽装置１は、湯を溜める浴槽本体１１、および入浴中のユーザが背中をもたせかけるためのバックレスト２０を有する。浴槽本体１１は、底部１１ｂに排水栓１２、および内側面にオーバーフロー栓１３を有する。排水栓１２を閉状態にして浴槽本体１１に湯を溜めることができ、排水栓１２を開状態にして浴槽本体１１から湯を抜く。オーバーフロー栓１３は、常時開状態にすることで、オーバーフロー栓１３の排水ラインを超える湯が排水され、浴槽本体１１から湯が溢れ出ないようにしてある。尚、オーバーフロー栓１３は、常時開状態のみでなく、閉状態とすることも可能である。
【００１６】
浴槽本体１１は、上端開口が平面視矩形状であり、長手方向の両端におけるフランジ部１１ａの幅が狭く、壁パネル６０ａに近い位置まで開口し、上端開口からやや内側に縮幅した底部１１ｂの端部もフランジ部１１ａの幅が狭い分、壁パネル６０ａに近い位置にある。上端開口および底部１１ｂが壁面に近い位置まで設けられていることによって、ユーザは、浴槽本体１１内に立った姿勢で、壁パネル６０ａに設けた吐水装置３のシャワーヘッド３３を使用し易くなる。シャワーヘッド３３は、上下方向に延びる縦ガイドバーによって上下方向に移動させて保持することができる。尚、浴槽本体１１の上端開口の形状は、平面視矩形状に限らず、楕円形状や、円弧状等に湾曲した辺を有する形状などであってもよい。
【００１７】
ここで、浴槽装置１における浴槽本体１１の深さに関して説明する。図４には浴槽本体１１の底部１１ｂに着座したユーザも表している。浴槽本体１１の底部１１ｂは、浴槽前床５０の床面より低い位置にすることで、同じ浴槽本体の深さであっても、浴槽前床５０側から浴槽本体１１へのまたぎ高さが低くなり、移動が楽になる。例えば、底部１１ｂは、浴槽前床５０の床面よりも４０ｍｍ程度低い位置に設ける。
【００１８】
浴槽本体１１は、湯を浅く溜めることに適した深さとしている。浴槽本体１１は、ユーザが胸から肩あたりまで湯に浸かって身体を十分に温めることができるよう深さ５００ｍｍ程度まで湯を溜めることができるものが一般的である。これに対し、本発明に係る浴槽本体１１は、着座位置において溜めることができる湯の最大深さを３００ｍｍ以上、４００ｍｍ以下としたものである。図４に示すように、着座位置は、浴槽本体１１におけるバックレスト２０側の底部１１ｂとなるが、浴槽本体１１の長手方向の両端部のいずれの側の底部であってもよい。また、浴槽本体１１が底部１１ｂより一段高い着座段部を有する場合には、該着座段部の上面が着座位置となる。
【００１９】
上述のように、浴槽本体１１に設けたオーバーフロー栓１３によって、浴槽本体１１に溜めることができる湯の最大深さが決まる。例えば排水ラインが４００ｍｍとなる位置にオーバーフロー栓１３を設けるとよい。オーバーフロー栓１３のフランジ部１１ａまでの高低差を例えば８０ｍｍとすると、浴槽本体１１のフランジ部１１ａから底部１１ｂまでの深さは４８０ｍｍとなる。またオーバーフロー栓１３を設けず、浴槽本体１１から湯が溢れ出ることを許容する場合には、浴槽本体１１のフランジ部１１ａから底部１１ｂまでの深さは例えば４００ｍｍとなる。
【００２０】
浴槽本体１１は、着座位置において溜めることができる湯の最大深さを３００ｍｍ以上、４００ｍｍ以下とすることによって、半身浴に適したものとなる。半身浴は、心臓の位置まで湯を溜めずに入浴することで心臓への負担を減らして身体を温められることが大きな利点となっている。
【００２１】
換気扇７０は、浴槽本体１１の上方に設けた天井パネル６１ａの中央部に取り付けられている。また、暖房機７１は、浴槽前床５０の上方に設けた天井パネル６１ｂに取り付けられている。換気扇７０および暖房機７１は、天井パネル部分に設けられているので、浴槽本体１１側および浴槽前床５０側の空間を狭めない。天井パネル６１ｂの中央部には、点検口８０が設けられている。暖房機７１は、入り口６２側から見て点検口８０より奥側であって、入り口６２から遠い壁パネル６０ｂ寄りの位置に取り付けられている。また、天井パネル６１ｂの入り口６２側には、照明器具８１が取り付けられている。
【００２２】
換気扇７０および暖房機７１は、それぞれ独立に動作が可能としてある。すなわち、換気扇７０のみを動作、暖房機７１のみを動作、並びに、換気扇７０および暖房機７１の両方を動作させることができる。また、換気扇７０および暖房機７１の一方が動作中である状態で、他方の動作を開始することができるものとしてある。
【００２３】
換気扇７０は、引き戸４０で仕切られた浴槽本体１１側の空間から空気を吸い出し、天井パネル６１ａおよび６１ｂの裏側に設けた排気ダクト（図示略）へ排気する。暖房機７１は、暖房機能、送風機能および換気機能を有する。暖房機７１は、引き戸４０で仕切られた浴槽前床５０側の空間の空気を暖房機能によって暖め、乾燥させる。暖房機７１は、暖房機能によって暖めた空気を送風機能によって送風することで、浴槽前床５０側の空間の空気を循環せしめ、空気を暖め、乾燥させる。暖房機７１は、換気機能によって浴槽前床５０側の空間の空気を吸い出し排気ダクトへ排気することで、該空間から湿気を取り除く。このように暖房機７１は、暖房機能、送風機能および換気機能を動作させることで空間内を乾燥させる乾燥機能を有する。また、暖房機７１は、暖房機能を動作させずに、送風機能を動作させることで、送風のみを行い、浴槽前床５０側の空間に気流を生じさせて涼風を起こすこともできる。また暖房機７１は、湿気が多い場合には、換気機能を一定時間動作させて換気を行った後に、暖房機能および送風機能を追加動作させるようにしてもよい。
【００２４】
次に浴室ユニット１００の作用について説明する。図５は浴室ユニット１００内を臨む模式図であり、図６は換気扇７０および暖房機７１の動作状態を説明するための模式図である。図５に示すように、換気扇７０および暖房機７１は、それぞれ引き戸４０で仕切られた浴槽本体１１側の空間および浴槽前床５０側の空間に開口している。
【００２５】
換気扇７０は、動作することによって図６に矢印で示す気流Ｐ１を発生させ、浴槽本体１１側の空間から空気を吸い出し、排気する。浴槽本体１１側では、ユーザが水を使って入浴するため、空気中に湿気を多く含む。換気扇７０は、浴槽本体１１側の空間から空気とともに湿気を排出する。
【００２６】
換気扇７０が動作しているとき、気流Ｐ１による排気に伴って、浴槽前床５０側から浴槽本体１１側へ気流Ｒ１が生じる。引き戸４０が開状態であるときは、開口部分で気流Ｒ１が生じ、引き戸４０が閉状態であるときは、引き戸４０の隙間部分や、図示しない引き戸４０の通気孔に気流Ｒ１が生じ、浴槽前床５０側の空気が浴槽本体１１側へ流れ込む。浴槽前床５０側の空間を暖房機７１によって暖めて乾燥させると、気流Ｒ１によって浴槽本体１１側も暖まり乾燥させることができる。また、浴槽前床５０側の暖められた空間と浴槽本体１１側の空間とは、間に引き戸４０（例えばガラス戸など）が介在しているだけであるので、熱平衡の原理からも浴槽本体１１側の空間が暖められる。尚、浴室ユニット１００に対しては、引き戸６３のすきま等を通して外部から空気が流れ込むように気流Ｒ２が生じる。
【００２７】
暖房機７１は、暖房機能によって浴槽前床５０側の空間の空気を暖め、乾燥させる。暖房機７１は、暖房機能の動作とともに送風機能を動作させることによって気流Ｑ２を発生させ、浴槽前床５０側の空間の空気を循環させて暖気および乾燥を促進する。また、暖房機７１は、換気機能によって気流Ｑ１を発生し、浴槽前床５０側の空間から空気を吸い出し、排気する。
【００２８】
浴槽前床５０側の空間は、暖房機７１の動作によって暖められるので、ユーザは暖まった浴槽前床５０側の空間で着替えを行うことができる。浴槽前床５０側の空間を暖めることで、浴槽本体１１側の空間にも熱が伝わり、浴槽本体１１側を入浴前に暖めておくこともできる。換気扇７０の動作によって気流Ｒ１が生じるので、より早く浴槽本体１１側の空間を暖めることができる。
【００２９】
また、暖房機７１の動作によって浴槽前床５０側の空間を乾燥状態にすることができるので、衣類を乾燥させることができる。浴槽本体１１側で水が使われていない場合には、引き戸４０の開閉状態に関わらず、暖房機７１の動作によって浴槽前床５０側の空間が乾燥状態になる。浴槽本体１１側で水を使用し、更には浴槽本体１１に湯を溜めた状態でも、引き戸４０を閉状態とすることで、浴槽本体１１側から浴槽前床５０側への湿気の侵入を抑制し、暖房機７１の動作によって浴槽前床５０側を乾燥状態にすることができる。この状態で換気扇７０を動作させることで、浴槽本体１１側から浴槽前床５０側への湿気の侵入を更に抑制することができ、浴槽前床５０側を効果的に乾燥させることができる。
【００３０】
次に、実施形態１の浴室ユニット１００の特徴を説明する。
本発明の実施形態１の浴室ユニット１００は、湯を溜める浴槽本体１１と、浴槽前床５０とを備え、浴槽本体１１側の空間と浴槽前床５０側の空間とが仕切られている。浴槽前床５０側に空気を暖める第１暖房機である暖房機７１を設けた。浴槽前床５０側の空間が暖められ、浴槽本体１１側の空間に熱が伝わって浴槽本体１１側の空間も暖められるので、浴室ユニット１００の利便性が良くなる。
【００３１】
また暖房機７１は、浴槽前床５０側の天井部分に設けられているので、浴槽前床５０側の空間を狭めない。
【００３２】
また暖房機７１は、暖めた空気を浴槽前床５０側の空間に送風し、浴槽前床５０側の空間から空気を吸い出して換気する。これにより、浴槽前床５０側の空間を早く暖めることができる。
【００３３】
また浴室ユニット１００は、浴槽本体１１側に換気扇７０が設けられている。換気扇７０の動作により、浴槽前床５０側の空間から浴槽本体１１側の空間への気流が生じ、浴槽本体１１側の空間を早く暖めることができる。
【００３４】
また換気扇７０は、浴槽本体１１側の天井部分に設けられているので、浴槽本体１１側の空間を狭めない。
【００３５】
（実施形態２）
図７は本発明の実施形態２に係る浴室ユニット１００の構成および動作状態を説明するための模式図である。実施形態２に係る浴室ユニット１００は、暖房機７１および暖房機７２を備える。暖房機７１は、実施形態１と同様に、浴槽前床５０の上方に設けた天井パネル６１ｂに取り付けられている。暖房機７２は、実施形態１の換気扇７０の代わりに、浴槽本体１１の上方に設けた天井パネル６１ａの中央部に取り付けられている。暖房機７１および７２は、実施形態１と同様に、暖房機能、送風機能、換気機能および乾燥機能を有し、各機能は実施形態１と同等である。
【００３６】
暖房機７１の動作については、暖房機７２の換気機能により実施形態１の換気扇７０を代替えできるので、実施形態１で説明したとおりである。暖房機７２は、暖房機能によって浴槽本体１１側の空間の空気を暖め、乾燥させる。暖房機７２は、暖房機能の動作とともに送風機能を動作させることによって気流Ｐ２を発生させ、浴槽本体１１側の空間の空気を循環させて暖気および乾燥を促進する。また、暖房機７２は、換気機能によって気流Ｐ１を発生し、浴槽前床５０側の空間から空気を吸い出し、排気する。尚、暖房機７２の換気機能の動作に伴い、実施形態１と同様に気流Ｒ１およびＲ２が生じる。
【００３７】
浴槽本体１１側の空間は、暖房機７２の動作によって空気を暖め、乾燥状態にすることができる。ユーザは、入浴前に暖房機７２を動作させて、浴槽本体１１側の空間をより早く暖めておくことができる。また、暖房機７２を暖房機能、送風機能および換気機能を動作させることで、入浴後の浴槽本体１１側の除湿を促進することができる。
【００３８】
暖房機７２において暖房機能、送風機能および換気機能を動作させているとき、暖房機７１は、暖房機能のみを動作させてもよいし、暖房機能および送風機能を動作させるようにしてもよい。また、引き戸４０は開状態であっても閉状態であってもよいが、入浴後にしばらく引き戸４０を閉状態として暖房機７２を運転した後、引き戸４０を開状態とすれば、浴槽前床５０側の空間へ湿気が侵入することを抑制できる。
【００３９】
次に、実施形態２の浴室ユニット１００の特徴を説明する。
本発明の実施形態２の浴室ユニット１００は、浴槽本体１１側に空気を暖める第２暖房機である暖房機７２が設けられている。暖房機７２は、暖めた空気を浴槽本体１１側の空間に送風し、浴槽本体１１側の空間から空気を吸い出して換気する。これにより、浴槽本体１１側を暖房機７２によってより早く暖めることができる。
【００４０】
また暖房機７２は、浴槽本体１１側の天井部分に設けられているので、浴槽本体１１側の空間を狭めない。
【００４１】
（実施形態３）
図８は本発明の実施形態３に係る浴室ユニット１００の構成および動作状態を説明するための模式図である。実施形態３に係る浴室ユニット１００は、暖房機７１および換気口７３を備える。暖房機７１は、実施形態１と同様に、浴槽前床５０の上方に設けた天井パネル６１ｂに取り付けられている。換気口７３は、浴槽本体１１の上方に設けた天井パネル６１ａの中央部に設けられている。
【００４２】
換気口７３は、暖房機７１にダクト７４によって接続されている。暖房機７１は、実施形態１と同様に、暖房機能、送風機能、換気機能および乾燥機能を有し、各機能は実施形態１と同等である。但し、実施形態３の暖房機７１における換気機能は、ダクト７４を通して換気口７３から浴槽本体１１側の空間の空気を吸い込み、排気する。
【００４３】
暖房機７１は、換気機能を動作させることによって気流Ｐ１およびＱ１を発生し、浴槽本体１１側および浴槽前床５０側の両方の空間を換気する。暖房機７１は、暖房機能によって浴槽前床５０側の空間の空気を暖め、乾燥させる。暖房機７１は、暖房機能の動作とともに送風機能を動作させることによって気流Ｑ２を発生させ、浴槽前床５０側の空間の空気を循環させて暖気および乾燥を促進する。尚、暖房機７１の換気機能の動作に伴い、実施形態１と同様に気流Ｒ１およびＲ２が生じる。
【００４４】
浴槽前床５０側の空間は、暖房機７１の動作によって暖められるので、ユーザは暖まった浴槽前床５０側の空間で着替えを行うことができる。浴槽前床５０側の空間を暖めることで、浴槽本体１１側の空間にも熱が伝わり、浴槽本体１１側を入浴前に暖めておくこともできる。また換気機能の動作によって気流Ｒ１が生じるので、より早く浴槽本体１１側の空間を暖めることができる。
【００４５】
また、暖房機７１の動作によって浴槽前床５０側の空間を乾燥状態にすることができるので、衣類を乾燥させることできる。浴槽本体１１側で水が使われていない場合には、引き戸４０の開閉状態に関わらず、暖房機７１の動作によって浴槽前床５０側の空間が乾燥状態になる。浴槽本体１１側で水を使用し、更には浴槽本体１１に湯を溜めた状態でも、引き戸４０を閉状態とすることで、浴槽本体１１側から浴槽前床５０側への湿気の侵入を抑制し、暖房機７１の動作によって浴槽前床５０側を乾燥状態にすることができる。この状態で暖房機７１の換気機能を動作させることで、気流Ｐ１およびＱ１が発生し、浴槽本体１１側から浴槽前床５０側への湿気の侵入を更に抑制することができ、浴槽前床５０側を効果的に乾燥させることができる。また、浴槽本体１１側は換気口７３を設ければよく、動力を必要としないので省電力化を図ることができる。
【００４６】
次に、実施形態３の浴室ユニット１００の特徴を説明する。
本発明の実施形態３の浴室ユニット１００は、浴槽本体１１側に換気口７３が設けられている。換気口７３は、ダクト７４によって暖房機７１に接続されている。暖房機７１は、ダクト７４を通して浴槽本体１１側の空間から空気を吸い出して換気する。これにより、浴槽本体１１側に換気扇を設ける必要がないので、省電力化を図ることができる。
【００４７】
（実施形態４）
図９は本発明の実施形態４に係る浴室ユニット１００の構成および動作状態を説明するための模式図である。実施形態４に係る浴室ユニット１００は、暖房機７１および換気装置７５を備える。暖房機７１は、実施形態１と同様に、浴槽前床５０の上方に設けた天井パネル６１ｂに取り付けられている。換気装置７５は、浴槽本体１１の上方に設けた天井パネル６１ａの中央部に設けられている。
【００４８】
換気装置７５は、暖房機７１にダクト７４によって接続されている。暖房機７１は、実施形態１と同様に、暖房機能、送風機能、換気機能および乾燥機能を有し、各機能は実施形態１と同等である。但し、実施形態４の暖房機７１は、暖房機能によりダクト７４を通して換気装置７５から吸い込んだ浴槽本体１１側の空間の空気を暖め、送風機能により、ダクト７４を通して換気装置７５から浴槽本体１１側の空間へ空気を送出する。また、実施形態４の暖房機７１は、換気機能によって、ダクト７４を通して換気装置７５から浴槽本体１１側の空間の空気を吸い込み、排気する。換気装置７５は、暖房機７１が浴槽本体１１側の空間の空気を吸い込む際には、単に換気口として機能する。換気装置７５は、送風機能を有しており、暖房機７１が浴槽本体１１側の空間へ空気を送出する際には、自ら送風機能を動作させて浴槽本体１１側の空間へ暖房機７１からの空気を送出する。
【００４９】
暖房機７１は、換気機能を動作させることによって気流Ｐ１およびＱ１を発生し、浴槽本体１１側および浴槽前床５０側の両方の空間を換気する。暖房機７１は、暖房機能によって浴槽前床５０側の空間の空気を暖め、乾燥させる。暖房機７１は、暖房機能の動作とともに送風機能を動作させることによって、換気装置７５による送風機能を伴って気流Ｐ２およびＱ２を発生させ、浴槽本体１１側および浴槽前床５０側の空間の空気を循環させて暖気および乾燥を促進する。尚、暖房機７１の換気機能の動作に伴い、実施形態１と同様に気流Ｒ１およびＲ２が生じる。
【００５０】
浴槽本体１１側および浴槽前床５０側の両方の空間は、暖房機７１の動作によって暖められるので、ユーザは暖まった浴槽前床５０側の空間で着替えを行うことができ、浴槽本体１１側を入浴前に暖めておくこともできる。
【００５１】
また、暖房機７１および換気装置７５の動作によって浴槽本体１１側および浴槽前床５０側の両方の空間乾燥状態にすることができるので、衣類を乾燥させることできる。浴槽本体１１側で水が使われていない場合には、引き戸４０の開閉状態に関わらず、暖房機７１および換気装置７５の動作によって浴槽本体１１側および浴槽前床５０側の空間が乾燥状態になる。浴槽本体１１側で水を使用し、更には浴槽本体１１に湯を溜めた状態でも、引き戸４０を閉状態とすることで、浴槽本体１１側から浴槽前床５０側への湿気の侵入を抑制し、暖房機７１および換気装置７５の動作によって浴槽前床５０側を乾燥状態にすることができる。この状態で暖房機７１の換気機能を動作させることで、浴槽本体１１側から浴槽前床５０側への湿気の侵入を更に抑制することができ、浴槽前床５０側を効果的に乾燥させることができる。また、浴槽本体１１側の換気装置７５は、送風機能のみを有していればよいので、小型化することができる。
【００５２】
次に、実施形態４の浴室ユニット１００の特徴を説明する。
本発明の実施形態４の浴室ユニット１００は、浴槽本体１１側に換気装置７５が設けられている。換気装置７５は、ダクト７４によって暖房機７１に接続されている。暖房機７１は、暖めた空気をダクト７４を通して浴槽本体１１側の空間に送風するので、より早く浴槽本体１１側の空間を暖めることができる。浴槽本体１１側の換気装置７５は、送風機能のみを有していればよいので、小型化することができる。
【００５３】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５４】
１１  浴槽本体、  ５０  浴槽前床、  ７０  換気扇、
７１  暖房機（第１暖房機）、  ７２  暖房機（第２暖房機）、
７３  換気口、  ７４  ダクト、  １００  浴室ユニット。
【図１】
2017218876.tif 000003
【図２】
2017218876.tif 000004
【図３】
2017218876.tif 000005
【図４】
2017218876.tif 000006
【図５】
2017218876.tif 000007
【図６】
2017218876.tif 000008
【図７】
2017218876.tif 000009
【図８】
2017218876.tif 000010
【図９】
2017218876.tif 000011